(57)【要約】【課題】インタビューを支援する。【解決手段】回答者の回答の間や発言速度が、通常とは異なっている場合には、回答者は、インタビューにおけるやりとりにうまく乗って回答しているとはいえない場合が多いので、質問者の間を調整するように質問者に促す。これによって、回答者から適切な回答を引き出すことができるようになる。【選択図】図１
2010175778.tif 000002
【特許請求の範囲】
【請求項１】
第１のインタビュー中の所定時間内における、質問者の発言終了から回答者の発言開始までの時間である前記回答者の現在間又は前記回答者の現在発言速度と、前記回答者の発言終了から前記質問者の発言終了までの時間である前記質問者の現在間とを取得する取得ステップと、
前記第１のインタビュー中に前記質問者の発言終了を検出した後に、前記第１のインタビューより前の第２のインタビューにおいて収集された、前記質問者の発言終了から前記回答者の発言開始までの基準時間である前記回答者の基準間又は前記回答者の基準発言速度とを格納する基準データ格納部から前記回答者の基準間又は前記回答者の基準発言速度とを読み出し、前記回答者の現在間と前記回答者の基準間とを比較するか又は前記回答者の現在発言速度と前記回答者の基準発言速度とを比較するステップと、
前記回答者の現在間と前記回答者の基準間とが一致しないという条件を含む第１の所定の条件を満たす又は前記回答者の現在発言速度と前記回答者の基準発言速度とが一致しないという条件を含む第２の所定の条件を満たす場合に、前記質問者の現在間を、前記回答者の現在間と前記回答者の基準間との関係又は前記回答者の現在発言速度と前記回答者の基準発言速度との関係に従って変更する変更ステップと、
前記第１のインタビュー中に前記回答者の発言終了を検出した場合、変更後の前記質問者の現在間を、前記質問者に提示するステップと、
を含み、コンピュータにより実行されるインタビュー支援方法。
【請求項２】
前記取得ステップにおいて、
前記回答者の現在間と前記回答者の現在発言速度との両方を取得すると共に、前記第１のインタビュー中の所定時間内における、前記質問者の総質問時間及び前記回答者の総回答時間をさらに取得し、
前記基準データ格納部に、前記回答者の基準間と前記回答者の基準発言速度との両方が格納されており、
前記変更ステップが、
前記回答者の現在間が前記回答者の基準間より長い場合又は前記回答者の現在発言速度が前記回答者の基準発言速度より遅い場合、前記質問者の総質問時間が前記回答者の総回答時間より長く、且つ前記回答者の現在発言速度が前記回答者の基準発言速度より遅い又は前記回答者の現在間が前記回答者の基準間より長いか判断する第１判断ステップと、
前記第１判断ステップの条件を満たす場合には、前記質問者の現在間に、前記回答者の基準間に対する前記回答者の現在間の比又は前記回答者の現在発言速度に対する前記回答者の基準発言速度の比を乗じた変更後間を算出するステップと、
を含む請求項１記載のインタビュー支援方法。
【請求項３】
前記取得ステップにおいて、
前記質問者の現在発言速度をさらに取得し、
前記変更ステップが、
前記回答者の現在間が前記回答者の基準間より短い場合又は前記回答者の現在発言速度が前記回答者の基準発言速度より速い場合、前記回答者の現在間が前記質問者の現在間より長く且つ前記回答者の現在発言速度が前記質問者の現在発言速度より遅いか判断する第２判断ステップと、
前記第２判断ステップの条件を満たす場合には、前記質問者の現在間に、前記回答者の現在間に対する前記回答者の基準間の比又は前記回答者の基準発言速度に対する前記回答者の現在発言速度の比を乗じた変更後間を算出するステップと、
を含む請求項２記載のインタビュー支援方法。
【請求項４】
前記変更ステップが、
前記第２判断ステップの条件を満たさない場合には、前記回答者の現在発言速度が前記回答者の基準発言速度より速い又は前記回答者の現在間が前記回答者の基準間より短く、且つ前記回答者の現在間が前記質問者の現在間より短く且つ前記回答者の現在発言速度が前記質問者の現在発言速度より速いか判断する第３判断ステップと、
前記第３判断ステップの条件を満たす場合には、前記質問者の現在間に、前記回答者の基準間に対する前記回答者の現在間の比又は前記回答者の現在発言速度に対する前記回答者の基準発言速度の比を乗じた変更後間を算出するステップと、
をさらに含む請求項３記載のインタビュー支援方法。
【請求項５】
第１のインタビュー中の所定時間内における、質問者の発言終了から回答者の発言開始までの時間である前記回答者の現在間又は前記回答者の現在発言速度と、前記回答者の発言終了から前記質問者の発言終了までの時間である前記質問者の現在間とを取得する取得ステップと、
前記第１のインタビュー中に前記質問者の発言終了を検出した後に、前記第１のインタビューより前の第２のインタビューにおいて収集された、前記質問者の発言終了から前記回答者の発言開始までの基準時間である前記回答者の基準間又は前記回答者の基準発言速度とを格納する基準データ格納部から前記回答者の基準間又は前記回答者の基準発言速度とを読み出し、前記回答者の現在間と前記回答者の基準間とを比較するか又は前記回答者の現在発言速度と前記回答者の基準発言速度とを比較するステップと、
前記回答者の現在間と前記回答者の基準間とが一致しないという条件を含む第１の所定の条件を満たす又は前記回答者の現在発言速度と前記回答者の基準発言速度とが一致しないという条件を含む第２の所定の条件を満たす場合に、前記質問者の現在間を、前記回答者の現在間と前記回答者の基準間との関係又は前記回答者の現在発言速度と前記回答者の基準発言速度との関係に従って変更する変更ステップと、
前記第１のインタビュー中に前記回答者の発言終了を検出した場合、変更後の前記質問者の現在間を、前記質問者に提示するステップと、
をコンピュータに実行させるためのインタビュー支援プログラム。
【請求項６】
前記取得ステップにおいて、
前記回答者の現在間と前記回答者の現在発言速度との両方を取得すると共に、前記第１のインタビュー中の所定時間内における、前記質問者の総質問時間及び前記回答者の総回答時間をさらに取得し、
前記基準データ格納部に、前記回答者の基準間と前記回答者の基準発言速度との両方が格納されており、
前記変更ステップが、
前記回答者の現在間が前記回答者の基準間より長い場合又は前記回答者の現在発言速度が前記回答者の基準発言速度より遅い場合、前記質問者の総質問時間が前記回答者の総回答時間より長く、且つ前記回答者の現在発言速度が前記回答者の基準発言速度より遅い又は前記回答者の現在間が前記回答者の基準間より長いか判断する第１判断ステップと、
前記第１判断ステップの条件を満たす場合には、前記質問者の現在間に、前記回答者の基準間に対する前記回答者の現在間の比又は前記回答者の現在発言速度に対する前記回答者の基準発言速度の比を乗じた変更後間を算出するステップと、
を含む請求項５記載のインタビュー支援プログラム。
【請求項７】
前記取得ステップにおいて、
前記質問者の現在発言速度をさらに取得し、
前記変更ステップが、
前記回答者の現在間が前記回答者の基準間より短い場合又は前記回答者の現在発言速度が前記回答者の基準発言速度より速い場合、前記回答者の現在間が前記質問者の現在間より長く且つ前記回答者の現在発言速度が前記質問者の現在発言速度より遅いか判断する第２判断ステップと、
前記第２判断ステップの条件を満たす場合には、前記質問者の現在間に、前記回答者の現在間に対する前記回答者の基準間の比又は前記回答者の基準発言速度に対する前記回答者の現在発言速度の比を乗じた変更後間を算出するステップと、
を含む請求項６記載のインタビュー支援プログラム。
【請求項８】
前記変更ステップが、
前記第２判断ステップの条件を満たさない場合には、前記回答者の現在発言速度が前記回答者の基準発言速度より速い又は前記回答者の現在間が前記回答者の基準間より短く、且つ前記回答者の現在間が前記質問者の現在間より短く且つ前記回答者の現在発言速度が前記質問者の現在発言速度より速いか判断する第３判断ステップと、
前記第３判断ステップの条件を満たす場合には、前記質問者の現在間に、前記回答者の基準間に対する前記回答者の現在間の比又は前記回答者の現在発言速度に対する前記回答者の基準発言速度の比を乗じた変更後間を算出するステップと、
をさらに含む請求項７記載のインタビュー支援プログラム。
【請求項９】
第１のインタビュー中の所定時間内における、質問者の発言終了から回答者の発言開始までの時間である前記回答者の現在間又は前記回答者の現在発言速度と、前記回答者の発言終了から前記質問者の発言終了までの時間である前記質問者の現在間とを取得する取得手段と、
前記第１のインタビュー中に前記質問者の発言終了を検出した後に、前記第１のインタビューより前の第２のインタビューにおいて収集された、前記質問者の発言終了から前記回答者の発言開始までの基準時間である前記回答者の基準間又は前記回答者の基準発言速度とを格納する基準データ格納部と、
前記基準データ格納部から前記回答者の基準間又は前記回答者の基準発言速度とを読み出し、前記回答者の現在間と前記回答者の基準間とを比較するか又は前記回答者の現在発言速度と前記回答者の基準発言速度とを比較する手段と、
前記回答者の現在間と前記回答者の基準間とが一致しないという条件を含む第１の所定の条件を満たす又は前記回答者の現在発言速度と前記回答者の基準発言速度とが一致しないという条件を含む第２の所定の条件を満たす場合に、前記質問者の現在間を、前記回答者の現在間と前記回答者の基準間との関係又は前記回答者の現在発言速度と前記回答者の基準発言速度との関係に従って変更する変更手段と、
前記第１のインタビュー中に前記回答者の発言終了を検出した場合、変更後の前記質問者の現在間を、前記質問者に提示する手段と、
を有するインタビュー支援装置。
【発明の詳細な説明】
【技術分野】
【０００１】
本技術は、インタビュー支援技術に関する。
【背景技術】
【０００２】
利用者からの音声メッセージに対して、逐一適切な音声による応答メッセージを送出し処理を進める、例えば留守番電話機のような対話型音声応答装置において、送出された応答メッセージに対して、利用者が発声を開始する意志のないことを判定する閾値（無言状態判定閾値）と発声を開始した利用者の発声の終了を判定する閾値（発声終了判定閾値）を、応答メッセージ対応に最適なものを用いることにより、利用者との間の対話をよりスムーズに進行させるような技術が存在している。閾値は、応答メッセージの内容に対応したものが設定される。このような技術は、応答メッセージの内容を把握できなければ適切な閾値を設定できない。
【先行技術文献】
【特許文献】
【０００３】
【特許文献１】特許２５９０１９３号公報
【発明の概要】
【発明が解決しようとする課題】
【０００４】
対話型音声応答装置のような分野ではなくインタビューを行う場合において、インタビューの回答者が答える前に、次の質問をしてしまうなど、回答を遮ってしまうことがある。また、回答者が回答を終了しているにもかかわらず、質問者が次の質問をすぐに出さずに回答者がじれてしまう場合もある。このようにテンポ良く質問と回答とが行われないと、回答者の思考が質問者の意図とは異なる方向に行ってしまったり拡散してしまったりして、回答者から適切な回答を引き出せない場合がある。一方、インタビューは、質問についてはある程度事前に用意できるが回答者からの回答内容は事前に用意できるものではなく、その都度適切なタイミングを図る必要がある。
【０００５】
従って本技術の目的は、適切なテンポでインタビューが実施可能なように支援するための技術を提供することである。
【課題を解決するための手段】
【０００６】
本インタビュー支援方法は、第１のインタビュー中の所定時間内における、質問者の発言終了から回答者の発言開始までの時間である回答者の現在間（ま）又は回答者の現在発言速度と、回答者の発言終了から質問者の発言終了までの時間である質問者の現在間とを取得する取得ステップと、第１のインタビュー中に質問者の発言終了を検出した後に、第１のインタビューより前の第２のインタビューにおいて収集された、質問者の発言終了から回答者の発言開始までの基準時間である回答者の基準間又は回答者の基準発言速度とを格納する基準データ格納部から回答者の基準間又は回答者の基準発言速度とを読み出し、回答者の現在間と回答者の基準間とを比較するか又は回答者の現在発言速度と回答者の基準発言速度とを比較するステップと、回答者の現在間と回答者の基準間とが一致しないという条件を含む第１の所定の条件を満たす又は回答者の現在発言速度と回答者の基準発言速度とが一致しないという条件を含む第２の所定の条件を満たす場合に、質問者の現在間を、回答者の現在間と回答者の基準間との関係又は回答者の現在発言速度と回答者の基準発言速度との関係に従って変更する変更ステップと、第１のインタビュー中に回答者の発言終了を検出した場合、変更後の質問者の現在間を、質問者に提示するステップとを含む。
【図面の簡単な説明】
【０００７】
【図１】図１は、インタビュー支援装置の機能ブロック図である。
【図２】図２は、本実施の形態におけるパラメータを説明するための図である。
【図３】図３は、基礎的な質問を行うフェーズの処理のメイン処理フローを示す図である。
【図４】図４は、初期画面の一例を示す図である。
【図５】図５は、インタビューログ基礎データテーブルの一例を示す図である。
【図６】図６は、インタビューの状態遷移の一例を示す図である。
【図７】図７は、パラメータ算出処理の処理フローを示す図である。
【図８】図８は、インタビューログ基礎データテーブルの変更処理を説明するための図である。
【図９】図９は、処理後のインタビューログ基礎データテーブルの一例を示す図である。
【図１０】図１０は、パラメータ算出処理の処理フローを示す図である。
【図１１】図１１は、二番目の画面の一例を示す図である。
【図１２】図１２は、本題の質問を行うフェーズにおけるインタビューの状態遷移の一例を示す図である。
【図１３】図１３は、三番目の画面の一例を示す図である。
【図１４】図１４は、本題の質問を行うフェーズの処理のメイン処理フローを示す図である。
【図１５】図１５は、インタビューログデータテーブルの一例を示す図である。
【図１６】図１６は、最適間の算出処理の処理フローを示す図である。
【図１７Ａ】図１７Ａは、変更後のインタビューログデータテーブルの一例を示す図である。
【図１７Ｂ】図１７Ｂは、処理対象レコードの範囲を説明するための図である。
【図１８】図１８は、間調整処理の処理フローを示す図である。
【図１９】図１９は、間調整処理の処理フローを示す図である。
【図２０】図２０は、最適間の表示処理の処理フローを示す図である。
【図２１】図２１は、コンピュータの機能ブロック図である。
【発明を実施するための形態】
【０００８】
図１に、本技術の一実施の形態に係るインタビュー支援装置の機能ブロック図を示す。インタビュー支援装置５は、例えば２つのマイク１及び３に接続されており、回答者と質問者の音声を取り込むことができるようになっている。また、インタビュー支援装置５は、マイク１及び３からの音声データを処理する音声関連データ処理部５１と、音声関連データ処理部５１によって処理されたデータを格納するログデータ格納部５３と、音声関連データ処理部５１と連携し且つログデータ格納部５３に格納されているデータを用いて処理を実施する制御部５５と、制御部５５によって算出された各種パラメータの値を格納するパラメータ格納部５７と、表示装置５８とを有する。
【０００９】
また、制御部５５は、基礎データ処理部５５１と、最適間算出部５５３と、パラメータ算出部５５２と、入出力部５５４とを有する。
【００１０】
次に、インタビュー支援装置５の処理内容について（１）基礎的な質問を行うフェーズの処理及び（２）本題の質問を行うフェーズの処理を分けて説明する。
【００１１】
１．基礎的な質問を行うフェーズの処理
本フェーズでは、質問者が、回答者の名前、所属、職歴、業務内容など、回答者が答えやすい質問を行い、以下で述べるようなパラメータを基礎データとして取得する。
【００１２】
最初に、図２を用いて本実施の形態で必要となるパラメータについて説明しておく。図２では、時間は左から右に流れているものとする。インタビューでは、質問者からの質問と、回答者からの回答とを繰り返す。ここで、質問者の発言終了から回答者の発言開始までの時間を、回答者の間と呼ぶ。また、回答者の発言終了から質問者の発言開始までの時間を、質問者の間と呼ぶ。図２においては質問者の間は２回（すなわちＭ1及びＭ2）発生しており、以下パラメータとして利用される質問者の間Ｍは、その平均値（（Ｍ1＋Ｍ2）／２）である。同様に、回答者の間は２回（すなわちＴ1及びＴ2）発生しており、以下パラメータとして利用される回答者の間Ｔは、その平均値（（Ｔ1＋Ｔ2）／２）である。さらに、各フェーズにおいて、質問時間の総和Ｔq（＝Ｔq1＋Ｔq2＋Ｔq3）と、回答時間の総和Ｔa（＝Ｔa1＋Ｔa2）も算出される。
【００１３】
さらに、本実施の形態では、質問時間及び回答時間について音声認識によって単語を認識すると共に単語数をカウントして、質問者の発言速度Ａを、質問の単語数／質問時間の総和Ｔqで算出し、回答者の発言速度Ｂを、回答の単語数／回答時間の総和Ｔaで算出する。
【００１４】
なお、本フェーズで算出された質問者の間ＭをBasic_Mと記し、回答者の間ＴをBasic_Tと記し、質問者の発言速度ＡをBasic_Aと記し、回答者の発言速度ＢをBasic_Bと記す。
【００１５】
次に、図３乃至図１１を用いて、基礎的な質問を行うフェーズにおける処理について説明する。例えば質問者からの指示に応じて、制御部５５の入出力部５５４は、表示装置５８に、初期画面を表示する（ステップＳ１）。例えば図４に示すような画面が表示される。図４のように、本フェーズにおけるデータ収集の開始及び終了を指示するための開始ボタン及び終了ボタンと、質問者及び回答者の発言速度及び間を表示するためのテーブルとが表示される。但し、まだ発言速度及び間については数値は表示されない。
【００１６】
次に、質問者が質問を開始するために開始ボタンをクリックすると、入出力部５５４は、当該開始指示を受け付け、基礎データ処理部５５１に開始指示を通知する。これに対して、基礎データ処理部５５１は、音声関連データ処理部５１に処理の開始を指示し、音声処理関連データ処理部５１は、マイク１及び３からの音声データの記録を実施する（ステップＳ２）。例えば、ディジタル化された音声データがそのままログデータ格納部５３に格納される。また、音声関連データ処理部５１は、音声データからインタビューログ基礎データテーブルを生成し、ログデータ格納部５３に格納する（ステップＳ３）。インタビューログ基礎データテーブルは、例えば図５に示すようなテーブルである。図５では、発話（発言とも呼ぶ）の開始時刻及び終了時刻と、話者と、開始時刻から終了時刻までの音声データの識別子とを登録するようになっている。
【００１７】
図５のインタビューログ基礎データテーブルに登録されるデータは、図６に示すような会話の状態を示すものである。すなわち、質問者のみの発話１が、インタビューログ基礎データテーブルの第１レコードに対応し、無音区間２が第２レコードに対応し、回答者のみの発話３が第３レコードに対応し、無音区間４が第４レコードに対応し、回答者のみの発話５が第５レコードに対応し、無音区間６が第６レコードに対応し、回答者のみの発話７が第７レコードに対応し、無音区間８が第８レコードに対応し、質問者のみの発話９が第９レコードに対応し、無音区間１０が第１０レコードに対応し、質問者及び回答者が同時に発話して競合している時間１１が第１１レコードに対応する。
【００１８】
音声関連データ処理部５１は、図５の第１レコードのように、例えばマイク１から質問者の発話を検出すると開始時刻を記録し、その後無音区間を検出すると終了時刻を記録し、さらに話者である質問者を示すデータと開始時刻から終了時刻までの音声データの識別子とを記録する。質問者ではなく回答者であっても同様の処理を実施する。但し、話者の欄には「回答者」が登録される。さらに、開始時刻から終了時刻までの時間も記録する。時間については質問者の発話でも回答者の発話でも無音区間でも競合でも同じように記録される。
【００１９】
また、図５の第２レコードのように、無音区間を検出すると、開始時刻を記録し、いずれかの話者の発話を検出すると終了時刻を記録すると共に、話者には無音を表すデータを記録する。さらに、回答者も質問者も共に発話していることを検出すると、図５の第１１レコードのように、開始時刻を記録し、その後無音になるかいずれかの話者が話すのをやめたことを検出すると終了時刻を記録し、さらに話者として競合を表すデータを記録し、回答者及び質問者の音声データの識別子を記録する。
【００２０】
さらに、音声関連データ処理部５１は、各レコードの音声データについて周知の音声認識処理を実施し、単語を識別すると共に、単語数をカウントして、該当するレコードに登録する。
【００２１】
このような処理は、終了が指示されるまで連続的に実施される。
【００２２】
その後、質問者から終了ボタンがクリックされると、入出力部５５４は、当該終了指示を受け付け、基礎データ処理部５５１に終了指示を出力する。これに対して、基礎データ処理部５５１は、パラメータ算出部５５２に処理を指示し、パラメータ算出部５５２は、指示に従って、ログデータ格納部５３に格納されているインタビューログ基礎データテーブルに対してパラメータ算出処理を実施する（ステップＳ５）。パラメータ算出処理については図７乃至図１０を用いて説明する。
【００２３】
まず、パラメータ算出部５５２は、処理対象のテーブルの先頭から未処理の無音区間を１つ特定する（ステップＳ１１）。そして、特定された無音区間のレコードの前後にレコードが存在しているか確認する（ステップＳ１３）。特定された無音区間のレコードの前後にレコードが存在しない場合というのは、処理対象テーブルの先頭レコードか最終レコードのいずれかである。特定された無音区間のレコードの前後にレコードが存在していない場合には、特定されたレコードについて、話者の列に処理対象外を設定する（ステップＳ１５）。最初と最後の無音区間は以下では考慮しないということである。そしてステップＳ２３に移行する。
【００２４】
一方、特定された無音区間のレコードの前後にレコードが存在している場合には、パラメータ算出部５５２は、特定された無音区間のレコードの前後のレコードの話者が一致しているか判断する（ステップＳ１７）。図８の左側にインタビューログ基礎データテーブルの一部を示しており、例えば第２レコードが処理対象の無音区間レコードである場合には、前後のレコードの話者は異なっている。一方、第４レコードが処理対象の無音区間レコードである場合には、前後のレコードの話者は一致している。特定された無音区間のレコードの前後のレコードの話者が一致していない場合には、特定された無音区間のレコードの「直後のレコードの話者名の間」を、特定された無音区間のレコードの話者として設定する（ステップＳ２１）。図８の第２レコードの場合には、図８の右側のテーブルに示すように、直後のレコードの話者名の間、すなわち「回答者の間」が登録される。図８の右側のテーブルでは話者（処理後）の欄に登録されている。そしてステップＳ２３に移行する。
【００２５】
一方、特定された無音区間のレコードの前後のレコードの話者が一致している場合には、パラメータ算出部５５２は、特定された無音区間のレコードの話者に、前後のレコードの話者名を設定する（ステップＳ１９）。図８の第４レコードの場合には、前後のレコードの話者名、すなわち「回答者」が登録される。そしてステップＳ２３に移行する。
【００２６】
ステップＳ１５、Ｓ１９又はＳ２１の後に、パラメータ算出部５５２は、全ての無音区間について処理したか判断する（ステップＳ２３）。未処理の無音区間が存在する場合にはステップＳ１１に戻る。
【００２７】
図５のインタビューログ基礎データテーブルについて無音区間を全て処理すると、図９に示すようなインタビューログ基礎データテーブルが得られる。第４及び第６レコードについては、話者名が回答者に変更されており、第８レコードの話者名は「質問者の間」に変更されており、第１０レコードの話者名は「競合の間」に変更されている。
【００２８】
一方、全ての無音区間について処理した場合には、パラメータ算出部５５２は、処理対象のテーブルから話者が質問者であるレコードの時間を加算することによって質問時間の総和Ｔqを算出し、パラメータ格納部５７に格納する（ステップＳ２５）。図９の例では、３０＋２０＝５０秒がＴqとして算出される。
【００２９】
さらに、パラメータ算出部５５２は、処理対象のテーブルから話者が回答者であるレコードの時間を加算することによって回答時間の総和Ｔaを算出し、パラメータ格納部５７に格納する（ステップＳ２７）。図９の例では、１０＋５＋１０＋５＋１０＝４０秒がＴaとして算出される。処理は端子Ａを介して図１０の処理に移行する。
【００３０】
なお、例えば、予め「はい」や「なるほど」といった相槌の音声データを事前に音声関連データ処理部５１などに登録しておき、当該相槌のみに相当するレコードを削除したり、相槌として認識される語句を単語数から除外したり、当該相槌の時間を削除しても良い。
【００３１】
図１０の処理の説明に移行して、パラメータ算出部５５２は、処理対象のテーブルから話者が「質問者の間」であるレコードの時間を加算し、該当レコード数で除することによって、質問者の間Ｍを算出し、パラメータ格納部５７に格納する（ステップＳ２９）。例えば、図９の例では「質問者の間」は１レコードしかないので、その時間である１０秒が質問者の間Ｍとして設定される。
【００３２】
さらに、パラメータ算出部５５２は、処理対象のテーブルから話者が「回答者の間」であるレコードの時間を加算し、該当レコード数で除することによって、回答者の間Ｔを算出し、パラメータ格納部５７に格納する（ステップＳ３３）。例えば、図９の例では「回答者の間」は１レコードしかないので、その時間である１０秒が回答者の間Ｔとして設定される。
【００３３】
また、パラメータ算出部５５２は、処理対象のテーブルから話者が質問者であるレコードについての単語数の総和を計算し、質問時間の総和Ｔqで除することによって、質問者の発言速度Ａを算出し、パラメータ格納部５７に格納する（ステップＳ３５）。図９の例では、Ａ＝（２０／５０）＝０．４語／秒と算出される。
【００３４】
また、パラメータ算出部５５２は、処理対象のテーブルから話者が回答者であるレコードについての単語数の総和を計算し、回答時間の総和Ｔaで除することによって、回答者の発言速度Ｂを算出し、パラメータ格納部５７に格納する（ステップＳ３７）。図９の例では、Ｂ＝（１５／４０）＝０．３７５語／秒と算出される。
【００３５】
以上のような処理を実施することによって、処理対象テーブルについてのパラメータが算出されるようになる。なお、処理対象テーブルが、インタビューログ基礎データテーブルであれば、基礎データが生成されたことになる。すなわち、質問者の間Basic_M、回答者の間Basic_T、質問者の発言速度Basic_A、及び回答者の発言速度Basic_Bが得られたことになる。
【００３６】
図３の処理の説明に戻って、パラメータ算出部５５２から処理終了通知を受け取ると、基礎データ処理部５５１は、入出力部５５４に、パラメータ格納部５７に格納されている基礎データである質問者及び回答者の発言速度及び間を読み出させ、表示装置５８に表示させる（ステップＳ７）。例えば図１１に示すような画面が表示される。図４において数値が入っていなかったテーブルに上で計算された数値が埋め込まれている。さらに、次のフェーズにおいて用いる開始ボタン及び終了ボタンと、質問のための間の表示（但し空欄）をも含む。
【００３７】
以上のような処理を実施することによって、前処理として基礎的な質問を行うフェーズの処理が行われたことになる。
【００３８】
２．本題の質問を行うフェーズの処理
次に、本題の質問を行うフェーズにおける処理について図１２乃至図２０を用いて説明する。例えば図１２に示すような対話が行われる場合には、タイミングＸでは最適間の算出が行われる。すなわち質問者のみの発話が開始されると、基礎データ及び本フェーズでそれまでに得られたデータに基づき次の最適間の算出処理を実施する。また、回答者が発言した後の無音区間の開始時Ｙに最適間Ｄの表示を行う。例えば、図１３に示すような表示を行う。図１３では、図１１に示した画面において、質問のための間の表示（ここでは５秒）が行われ、例えば秒単位でカウントダウンしてゆく。秒未満の所定単位でカウントダウンしてゆくようにしてもよい。但し、以下で述べるように、表示が「０」になるまでに回答者や質問者が発言してしまうと、質問のための間の表示はクリアされる。
【００３９】
なお、競合が生ずると、タイミングＺの段階で最適間を初期化することによって、再度間の調整を行うようにしている。これは、競合しないような間を設定しているにもかかわらず、競合が生じているので初期化して最初から最適化処理を実施するものである。
【００４０】
具体的には、図１４乃至図２０に示すような処理を実施する。例えば質問者が本題の質問についての開始ボタンをクリックすると、入出力部５５４は、当該開始指示に応じて、音声関連データ処理部５１及び最適間算出部５５３に処理の開始を指示し、音声処理関連データ処理部５１は、マイク１及び３からの音声データの記録を実施する（ステップＳ４１）。例えば、最初のフェーズと同様にディジタル化された音声データがそのままログデータ格納部５３に格納される。また、音声関連データ処理部５１は、音声データからインタビューログデータテーブルのレコードを順次生成し、ログデータ格納部５３に格納する（ステップＳ４３）。このステップの処理は基本的にステップＳ３と同様である。
【００４１】
インタビューログデータテーブルは、例えば図１５に示すようなデータテーブルである。データフォーマットは、インタビューログ基礎データテーブルと同様である。
【００４２】
なお、ステップＳ４１及びＳ４３は、例えば質問者によって終了ボタンがクリックされるまで、連続的に実施される。
【００４３】
一方、最適間算出部５５３は、入出力部５５４からの処理開始時を受け付けると、ログデータ格納部５３に格納されているインタビューログデータテーブルのレコードを監視して、質問者の発言が開始されたか判断する（ステップＳ４５）。具体的には、話者が「質問者」のレコードが生成されて開始時刻が設定されたか判断する。例えば図１５の第９レコードのような状態を検出するものである。
【００４４】
質問者の発言が開始されたと判断した場合には、最適間算出部５５３は、最適間の算出処理を実施する（ステップＳ４７）。最適間の算出処理については、図１６乃至図２０を用いて説明する。
【００４５】
まず、最適間算出部５５３は、初回の算出処理であるか判断する（ステップＳ６１）。例えば、インタビューログデータテーブル（図１５）の第１レコードが生成されたか判断する。この場合には、最適間Ｄには基礎データのBasic_Tを設定する（ステップS６３）。このように、最初は基礎データを用いて質問者の次の間を設定する。そして元の処理に戻る。
【００４６】
一方、初回の算出処理ではない場合には、最適間算出部５５３は、設定に基づき処理対象区間のレコードを抽出する（ステップＳ６５）。本実施の形態では、図１７Ｂに示すように、（１）インタビューログデータテーブルに登録されている全てのレコード、（２）直前の算出タイミングから今回の算出タイミングまでのレコード、（３）質問者などのユーザによる設定範囲のいずれかである。（２）は、直前の状態を反映して最適間を算出するものであり、（１）は、本題の質問中の状態を全て反映して最適間を算出ものであり、（３）は、ユーザの意図を反映させるものであり、例えばＮ回前の算出タイミングから今回の算出タイミングまでのレコードを用いるといった設定が可能である。
【００４７】
その後、最適間算出部５５３は、パラメータ算出部５５２に、インタビューログデータテーブルの抽出区間に対するパラメータ算出処理を実施させる（ステップＳ６７）。基本的な処理内容については、図７及び図１０で説明したパラメータ算出処理であるが、処理の対象が、インタビューログデータテーブルでありさらにステップＳ６５で抽出された抽出区間に限定される。図１５のインタビューログデータテーブルは、図１７Ａに示すようなインタビューログデータテーブルに変換される。すなわち、話者が無音のレコードについて「回答者の間」「回答者」「質問者の間」「質問者」が更新登録される。そして、図１７Ａの例では、質問者の間Ｍ＝１０、回答者の間Ｔ＝１０、質問者の発言速度Ａ＝０．３３（＝１０／３０）、回答者の発言速度Ｂ＝０．３７（＝（５＋５＋５）／（１０＋５＋１０＋５＋１０））、質問時間の総和Ｔq＝３０、回答時間の総和Ｔa＝４０が算出される。
【００４８】
そして、最適間算出部５５３は、パラメータ格納部５７に格納されているデータを用いて、間調整処理を実施する（ステップＳ６９）。
【００４９】
本実施の形態では、間調整処理については、以下のような考察の下、規定されている。
【００５０】
すなわち、質問を受けてから回答するまでの認知的思考プロセスは、（１）質問内容を解釈し、（２）それに対する回答を考え、（３）回答を話す、というものである。
【００５１】
考えて話し始める人は、質問を受けてから回答するまでの間Ｔを普段より長くとってから、話し始めたり、あるいは、話しながら考える人であれば、話す速度が普段よりも遅くなるというように行動として現れる。
【００５２】
逆に、回答者が、普段よりも間を取らずに話す、あるいは、普段よりも早く話しているときには、あまり考えずに回答している可能性がある。その場合は、質の良い回答が得られていないかもしない。原因としては、質問者が矢継ぎ早に質問してまくしたてていることで、それに回答者が引っ張られて回答していることが考えられる。
【００５３】
このような場合（以下、パターンＡと呼ぶ）には、質問者が質問するまでの間を増やすことで、回答者が質問者に引っ張られないようにする。
【００５４】
また、質問者に引っ張られずに、回答者が普段よりも早く回答している理由として、質問内容が簡単であったり、早く終わりたい気持ちがあるなどが考えられる。このような場合には、次のようなことが、行動として現れることがある。
・普段よりも短い間で話している
・普段よりも早口で話している
・質問者よりも早口で話している
・質問者よりも短い間で話している
【００５５】
上記の場合（以下、パターンＢと呼ぶ）には、質問者が質問するまでの間を短くし、回答者のペースに合わせることで、回答者が答えやすくする。
【００５６】
一方、回答者が普段よりも遅く回答している理由としては、じっくり考えて回答をしていることが考えられる。例えば、難しい質問に対する回答を考えていて時間がかかっているケースがある。そのような場合には、さらに間をおいて、次の質問をした方が、回答者の思考を止めないため、良い回答が引き出せる可能性がある。
【００５７】
難しい質問をしている場合には、次のような行動が現れることがある。
・質問内容を詳しく説明しているため、質問者の話す時間が、回答者の話す時間よりも長い
・回答者の間が、普段よりも長い
・回答者の話す速度が、考えているため、普段よりも遅い
【００５８】
上記の場合（以下、パターンＣと呼ぶ）には、質問者が質問するまでの間を長くし、回答者がさらに考える時間を提供することで、質の高い回答を引き出す。
【００５９】
これを処理フローにまとめるならば、時間をベースに処理する場合と発言速度をベースに処理する場合との２通りで実現可能である。
【００６０】
最初に、時間をベースに処理する場合における間調整処理の処理フローを図１８に示す。まず、最適間算出部５５３は、回答者の現在の間Ｔと基礎データにおける回答者の間Basic_Tとが異なっているか判断する（ステップＳ７１）。Ｔ＝Basic_Tである場合には、特に調整する必要がないので、直前の最適間を今回の最適間Ｄに設定する（ステップＳ８５）。そして端子Ｂを介して元の処理に戻る。
【００６１】
一方、ＴとBasic_Tが異なっている場合には、Ｔ＜Basic_Tであるか判断する（ステップＳ７３）。Ｔ＜Basic_Tである場合には、最適間算出部５５３は、さらに、（質問者の現在の発言速度Ａ＞回答者の現在の発言速度Ｂ）且つ（質問者の現在の間Ｍ＜回答者の現在の間Ｔ）であるか判断する（ステップＳ７９）。すなわち、質問者の現在の発言速度Ａが、回答者の現在の発言速度Ｂよりも速く、且つ質問者の現在の間Ｍが回答者の現在の間Ｔよりも短いときには、上で述べたパターンＡに該当する。すなわち、ステップＳ７９では、パターンＡに該当するか判断している。
【００６２】
ステップＳ７９の条件を満たしている場合には、最適間算出部５５３は、質問者に回答者が引っ張られて、間が短くなっているとして、Ｄ＝Ｍ×Basic_T／Ｔで間を長くするように調整して、パラメータ格納部５７に格納する（ステップＳ７７）。Basic_T＞Ｔであるから、Ｔに対するBasic_Tの比を質問者の現在の間Ｍに乗ずると、最適間Ｄは現在の間Ｍより当該比だけ長くなる。そして元の処理に戻る。
【００６３】
一方、ステップＳ９７の条件を満たしていない場合には、最適間算出部５５３は、（回答者の現在の発言速度Ｂ＞基礎データにおける回答者の発言速度Basic_B）且つ（質問者の現在の発言速度Ａ＜回答者の現在の発言速度Ｂ）且つ（質問者の現在の間Ｍ＞回答者の現在の間Ｔ）であるか判断する（ステップＳ８１）。すなわち、回答者の発言速度Ｂが通常の発言速度Basic_Bよりも速く、回答者が質問者よりも速く話し且つ質問者の間よりも間が短くなっている場合には、上で述べたパターンＢに該当する。すなわち、パターンＢに該当するか判断している。
【００６４】
ステップＳ８１の条件を満たしている場合には、最適間算出部５５３は、回答者はインタビューを速く終わらしたがっているとして、Ｄ＝Ｍ×Ｔ／Basic_Tで間を短くするように調整して、パラメータ格納部５７に格納する（ステップＳ８３）。Basic_T＞Ｔであるから、Basic_Tに対するＴの比を質問者の現在の間Ｍに乗ずると、最適間Ｄは現在の間Ｍより当該比だけ短くなる。そして元の処理に戻る。
【００６５】
一方、ステップＳ８１の条件を満たしていない場合には、間の調整は不要として端子Ｃを介してステップＳ８５に移行する。
【００６６】
また、ステップＳ７３においてＴ＞Basic_Tである場合には、最適間算出部５５３は、（回答者の現在の発言速度Ｂ＜基礎データにおける回答者の発言速度Basic_B）且つ（質問時間の総和Ｔq＞回答時間の総和Ｔa）であるか判断する（ステップＳ７５）。すなわち、回答者の現在の発言速度Ｂが、通常の発言速度Basic_Bよりも遅く、質問時間が長い場合には、上で述べたパターンＣに該当する。すなわちパターンＣに該当するか判断している。
【００６７】
ステップＳ７５の条件を満たしている場合には、最適間算出部５５３は、Ｄ＝Ｍ×Ｔ／Basic_Tで間を長くするように調整して、パラメータ格納部５７に格納する（ステップＳ７８）。Ｔ＞Basic_Tであるから、Basic_Tに対するＴの比を質問者の現在の間Ｍに乗ずると、最適間Ｄは現在の間Ｍより当該比だけ長くなる。そして元の処理に戻る。一方、ステップＳ７５の条件を満たしていない場合には、端子Ｃを介してステップＳ８５に移行する。
【００６８】
以上のような処理を実施することによって、質問者が従うべき最適な間Ｄが算出される。
【００６９】
次に、発言速度ベースに処理する場合における間調整処理の処理フローを図１９に示す。まず、最適間算出部５５３は、回答者の現在の発言速度Ｂと基礎データにおける回答者の発言速度Basic_Bとが異なっているか判断する（ステップＳ９１）。Ｂ＝Basic_Bである場合には、特に調整する必要がないので、直前の最適間を今回の最適間Ｄに設定する（ステップＳ１０５）。そして端子Ｄを介して元の処理に戻る。
【００７０】
一方、ＢとBasic_Bが異なっている場合には、Ｂ＞Basic_Bであるか判断する（ステップＳ９３）。Ｂ＞Basic_Bである場合には、最適間算出部５５３は、さらに、（質問者の現在の発言速度Ａ＞回答者の現在の発言速度Ｂ）且つ（質問者の現在の間Ｍ＜回答者の現在の間Ｔ）であるか判断する（ステップＳ９９）。すなわち、質問者の現在の発言速度Ａが、回答者の現在の発言速度Ｂよりも速く、且つ質問者の現在の間Ｍが回答者の現在の間Ｔよりも短いときには、上で述べたパターンＡに該当する。すなわち、パターンＡに該当するか判断している。
【００７１】
ステップＳ９９の条件を満たしている場合には、最適間算出部５５３は、質問者に回答者が引っ張られて、間が短くなっているとして、Ｄ＝Ｍ×Ｂ／Basic_Bで間を長くするように調整して、パラメータ格納部５７に格納する（ステップＳ９７）。Ｂ＞Basic_Bであるから、Basic_Bに対するＢの比を質問者の現在の間Ｍに乗ずると、最適間Ｄは現在の間Ｍより当該比だけ長くなる。そして元の処理に戻る。
【００７２】
一方、ステップＳ９９の条件を満たしていない場合には、最適間算出部５５３は、（回答者の現在の間Ｔ＜基礎データにおける回答者の間Basic_T）且つ（質問者の現在の発言速度Ａ＜回答者の現在の発言速度Ｂ）且つ（質問者の現在の間Ｍ＞回答者の現在の間Ｔ）であるか判断する（ステップＳ１０１）。すなわち、回答者の現在の間Ｔが通常時より短く、回答者が質問者よりも速く話し且つ質問者の間よりも間が短くなっている場合には、上で述べたパターンＢに該当する。すなわち、パターンＢに該当するか判断している。
【００７３】
ステップＳ１０１の条件を満たしている場合には、最適間算出部５５３は、回答者はインタビューを速く終わらしたがっているとして、Ｄ＝Ｍ×Basic_B／Ｂで間を短くするように調整して、パラメータ格納部５７に格納する（ステップＳ１０３）。Ｂ＞Basic_Bであるから、Ｂに対するBasic_Bの比を質問者の現在の間Ｍに乗ずると、最適間Ｄは現在の間Ｍより当該比だけ短くなる。そして元の処理に戻る。
【００７４】
一方、ステップＳ１０１の条件を満たしていない場合には、間の調整は不要として端子Ｅを介してステップＳ１０５に移行する。
【００７５】
また、ステップＳ９３においてＢ＜Basic_Bである場合には、最適間算出部５５３は、（回答者の現在の間Ｔ＞基礎データにおける回答者の間Basic_T）且つ（質問時間の総和Ｔq＞回答時間の総和Ｔa）であるか判断する（ステップＳ９５）。すなわち、回答者の現在の間Ｔが、通常の間Basic_Tよりも長く、質問時間が長い場合には、上で述べたパターンＣに該当する。すなわちパターンＣに該当するか判断している。
【００７６】
ステップＳ９５の条件を満たしている場合には、Ｄ＝Ｍ×Basic_B／Ｂで間を長くするように調整して、パラメータ格納部５７に格納する（ステップＳ９８）。Ｂ＜Basic_Bであるから、Ｂに対するBasic_Bの比を質問者の現在の間Ｍに乗ずると、最適間Ｄは現在の間Ｍより当該比だけ長くなる。そして元の処理に戻る。一方、ステップＳ９５の条件を満たしていない場合には、端子Ｅを介してステップＳ１０５に移行する。
【００７７】
以上のような処理を実施することによって、質問者が従うべき最適な間Ｄが算出される。
【００７８】
このような処理を実施すると、図１６のステップＳ６９が完了して図１４の処理に戻る。
【００７９】
そして図１４の処理の説明に戻って、ステップＳ４７の最適間の算出処理が完了すると、最適間算出部５５３は、処理終了が例えば質問者から指示されているか判断する（ステップＳ５７）。処理終了が指示されていれば処理を終了する。処理終了でなければステップＳ４１に戻る。
【００８０】
ステップＳ４５で、質問者の発言開始ではない場合には、最適間算出部５５３は、回答者及び質問者が同時に発言する競合状態であるか判断する（ステップＳ４９）。競合状態となった場合には、間の調整がうまくいっていないので、最適間算出部５５３は、最適間ＤにBasic_Tを設定する（ステップＳ５１）。そしてステップＳ５７に移行する。さらに、競合状態でない場合には、ログデータ格納部５３に格納されているインタビューログデータテーブルのレコードを監視して、回答者発言後の間であるか判断する（ステップＳ５３）。具体的には、話者が「回答者」のレコードが生成されて終了時刻が設定された後に、「無音」のレコードが生成されて開始時刻が登録されている状態を特定する。
【００８１】
回答者発言後の間が開始されたと判断した場合には、最適間算出部５５３は、最適間の表示処理を実施する（ステップＳ５５）。最適間の表示処理については、図２０を用いて説明する。
【００８２】
最適間算出部５５３は、入出力部５５４に、最適間Ｄの表示を指示し、入出力部５５４は、指定された最適間Ｄを表示装置５８に表示する（ステップＳ１１１）。さらに、表示数値を例えば秒単位でカウントダウンしてゆく（ステップＳ１１３）。但し、最適間算出部５５３は、回答者又は質問者の発言に係るレコードが、ログデータ格納部５３に格納されているインタビューログデータテーブルに追加されたか監視しておき、発言に係るレコードが検出されると、入出力部５５４に通知する。入出力部５５４は、表示数値がゼロでなく（ステップＳ１１５：Ｎｏルート）、発言の通知を受け取ると（ステップＳ１１７：Ｙｅｓルート）、表示数値をゼロに設定して、表示装置５８に表示する（ステップＳ１１９）。一方、表示数値がゼロであれば（ステップＳ１１５：Ｙｅｓルート）、処理を終了する。また、発言通知を受けていない場合には（ステップＳ１１７：Ｎｏルート）、ステップＳ１１３に戻る。
【００８３】
以上のような処理を行えば、質問者は、最適間のカウントダウンを確認してゼロになったところで質問を実施すればよいし、ゼロになる前に回答者が発言した場合には、回答者のテンポを乱すことを防止できていることになる。
【００８４】
なお、数値表示だけではなく、質問するまでの間を短くするケースでは、「もう少し早口で話しても構いません」といった、発言速度を速めることを促す表示を行うようにしてもよい。また、質問するまでの間を長くするケースでは、「もう少しゆっくりはなしましょう」といった、発言速度を遅くすることを促す表示を行うようにしてもよい。
【００８５】
図１４の処理の説明に戻って、回答者発言後の間ではないと判断された場合には、ステップＳ５７に戻る。
【００８６】
以上のような処理を実施することによって、質問者は最適な間を見いだすことができ、回答者から適切な回答をテンポ良く得ることができるようになる。
【００８７】
以上本実施の形態を説明したが、実施の形態はこれに限定されるものではない。例えば、図１に示した機能ブロック図は一例であって、必ずしも実際のプログラムモジュール構成と一致しない場合もある。また、上で述べた処理フローについては、処理結果が同じであれば、処理順番を入れ替えたり並列実行したりという変形も可能である。
【００８８】
画面構成も、上で述べた例は一例であって、同様の内容を表示する異なる画面構成を採用するようにしても良い。
【００８９】
なお、インタビュー支援装置は、コンピュータ装置であって、図２１に示すように、メモリ２５０１とＣＰＵ２５０３とハードディスク・ドライブ（ＨＤＤ）２５０５と表示装置２５０９に接続される表示制御部２５０７とリムーバブル・ディスク２５１１用のドライブ装置２５１３と入力装置２５１５とネットワークに接続するための通信制御部２５１７とがバス２５１９で接続されている。オペレーティング・システム（ＯＳ：Operating System）及び本実施例における処理を実施するためのアプリケーション・プログラムは、ＨＤＤ２５０５に格納されており、ＣＰＵ２５０３により実行される際にはＨＤＤ２５０５からメモリ２５０１に読み出される。必要に応じてＣＰＵ２５０３は、表示制御部２５０７、通信制御部２５１７、ドライブ装置２５１３を制御して、必要な動作を行わせる。また、処理途中のデータについては、メモリ２５０１に格納され、必要があればＨＤＤ２５０５に格納される。本技術の実施例では、上で述べた処理を実施するためのアプリケーション・プログラムはコンピュータ読み取り可能なリムーバブル・ディスク２５１１に格納されて頒布され、ドライブ装置２５１３からＨＤＤ２５０５にインストールされる。インターネットなどのネットワーク及び通信制御部２５１７を経由して、ＨＤＤ２５０５にインストールされる場合もある。このようなコンピュータ装置は、上で述べたＣＰＵ２５０３、メモリ２５０１などのハードウエアとＯＳ及び必要なアプリケーション・プログラムとが有機的に協働することにより、上で述べたような各種機能を実現する。
【００９０】
以上本実施の形態をまとめると以下のようになる。
【００９１】
本インタビュー支援方法は、第１のインタビュー中の所定時間内における、質問者の発言終了から回答者の発言開始までの時間である回答者の現在間又は回答者の現在発言速度と、回答者の発言終了から質問者の発言終了までの時間である質問者の現在間とを取得する取得ステップと、第１のインタビュー中に質問者の発言終了を検出した後に、第１のインタビューより前の第２のインタビューにおいて収集された、質問者の発言終了から回答者の発言開始までの基準時間である回答者の基準間又は回答者の基準発言速度とを格納する基準データ格納部から回答者の基準間又は回答者の基準発言速度とを読み出し、回答者の現在間と回答者の基準間とを比較するか又は回答者の現在発言速度と回答者の基準発言速度とを比較するステップと、回答者の現在間と回答者の基準間とが一致しないという条件を含む第１の所定の条件を満たす又は回答者の現在発言速度と回答者の基準発言速度とが一致しないという条件を含む第２の所定の条件を満たす場合に、質問者の現在間を、回答者の現在間と回答者の基準間との関係又は回答者の現在発言速度と回答者の基準発言速度との関係に従って変更する変更ステップと、第１のインタビュー中に回答者の発言終了を検出した場合、変更後の質問者の現在間を、質問者に提示するステップとを含む。
【００９２】
このように回答者の現在間が基準とずれている又は回答者の発言速度が基準とずれている場合に、回答者は、インタビューにおけるやりとりにうまく乗って回答しているとはいえない場合が多いので、質問者の間を調整するように質問者に促す。これによって、回答者から適切な回答を引き出すことができるようになる。
【００９３】
また、上で述べた取得ステップにおいて、回答者の現在間と回答者の現在発言速度との両方を取得すると共に、第１のインタビュー中の所定時間内における、質問者の総質問時間及び回答者の総回答時間をさらに取得するようにしてもよい。また、この場合、基準データ格納部に、回答者の基準間と前記回答者の基準発言速度との両方が格納されるようにしてもよい。そして、上で述べた変更ステップが、回答者の現在間が回答者の基準間より長い場合又は回答者の現在発言速度が回答者の基準発言速度より遅い場合、質問者の総質問時間が回答者の総回答時間より長く、且つ回答者の現在発言速度が回答者の基準発言速度より遅い又は回答者の現在間が回答者の基準間より長いか判断する第１判断ステップと、第１判断ステップの条件を満たす場合には、質問者の現在間に、回答者の基準間に対する回答者の現在間の比又は回答者の現在発言速度に対する回答者の基準発言速度の比を乗じた変更後間を算出するステップとを含むようにしてもよい。
【００９４】
このように、回答を考えるために普段よりも遅くなっていると考えられる事象が発生していれば、質問者の間を上で述べたように長くすることによって、回答者のペースで回答できるようにする。
【００９５】
さらに、上で述べた取得ステップにおいて、質問者の現在発言速度をさらに取得するようにしてもよい。その際、上で述べた変更ステップが、回答者の現在間が回答者の基準間より短い場合又は回答者の現在発言速度が回答者の基準発言速度より速い場合、回答者の現在間が質問者の現在間より長く且つ回答者の現在発言速度が質問者の現在発言速度より遅いか判断する第２判断ステップと、第２判断ステップの条件を満たす場合には、質問者の現在間に、回答者の現在間に対する回答者の基準間の比又は回答者の基準発言速度に対する回答者の現在発言速度の比を乗じた変更後間を算出するステップとを含むようにしてもよい。
【００９６】
このように、回答者が質問者のペースに巻き込まれていると考えられる事象が発生していれば、質問者の間を上で述べたように長くすることによって、回答者に余裕をもって回答するように促すことができるようになる。
【００９７】
また、上で述べた変更ステップが、第２判断ステップの条件を満たさない場合には、回答者の現在発言速度が回答者の基準発言速度より速い又は回答者の現在間が回答者の基準間より短く、且つ回答者の現在間が質問者の現在間より短く且つ回答者の現在発言速度が質問者の現在発言速度より速いか判断する第３判断ステップと、第３判断ステップの条件を満たす場合には、質問者の現在間に、回答者の基準間に対する回答者の現在間の比又は回答者の現在発言速度に対する回答者の基準発言速度の比を乗じた変更後間を算出するステップとをさらに含むようにしてもよい。
【００９８】
このように、回答者が、質問者のペースが遅いため早く回答したくて早くなっていると考えられる事象が発生していれば、質問者の間を上で述べたように短くすることによって、回答者のペースで回答できるようにする。
【００９９】
なお、上で述べたような処理をハードウエアに実施させるためのプログラムを作成することができ、当該プログラムは、例えばフレキシブル・ディスク、ＣＤ−ＲＯＭ、光磁気ディスク、半導体メモリ、ハードディスク等のコンピュータ読み取り可能な記憶媒体又は記憶装置に格納される。なお、処理途中のデータについては、コンピュータのメモリ等の記憶装置に一時保管される。
【０１００】
以上の実施の形態に関し、さらに以下の付記を開示する。
【０１０１】
（付記１）
第１のインタビュー中の所定時間内における、質問者の発言終了から回答者の発言開始までの時間である前記回答者の現在間又は前記回答者の現在発言速度と、前記回答者の発言終了から前記質問者の発言終了までの時間である前記質問者の現在間とを取得する取得ステップと、
前記第１のインタビュー中に前記質問者の発言終了を検出した後に、前記第１のインタビューより前の第２のインタビューにおいて収集された、前記質問者の発言終了から前記回答者の発言開始までの基準時間である前記回答者の基準間又は前記回答者の基準発言速度とを格納する基準データ格納部から前記回答者の基準間又は前記回答者の基準発言速度とを読み出し、前記回答者の現在間と前記回答者の基準間とを比較するか又は前記回答者の現在発言速度と前記回答者の基準発言速度とを比較するステップと、
前記回答者の現在間と前記回答者の基準間とが一致しないという条件を含む第１の所定の条件を満たす又は前記回答者の現在発言速度と前記回答者の基準発言速度とが一致しないという条件を含む第２の所定の条件を満たす場合に、前記質問者の現在間を、前記回答者の現在間と前記回答者の基準間との関係又は前記回答者の現在発言速度と前記回答者の基準発言速度との関係に従って変更する変更ステップと、
前記第１のインタビュー中に前記回答者の発言終了を検出した場合、変更後の前記質問者の現在間を、前記質問者に提示するステップと、
を含み、コンピュータにより実行されるインタビュー支援方法。
【０１０２】
（付記２）
前記取得ステップにおいて、
前記回答者の現在間と前記回答者の現在発言速度との両方を取得すると共に、前記第１のインタビュー中の所定時間内における、前記質問者の総質問時間及び前記回答者の総回答時間をさらに取得し、
前記基準データ格納部に、前記回答者の基準間と前記回答者の基準発言速度との両方が格納されており、
前記変更ステップが、
前記回答者の現在間が前記回答者の基準間より長い場合又は前記回答者の現在発言速度が前記回答者の基準発言速度より遅い場合、前記質問者の総質問時間が前記回答者の総回答時間より長く、且つ前記回答者の現在発言速度が前記回答者の基準発言速度より遅い又は前記回答者の現在間が前記回答者の基準間より長いか判断する第１判断ステップと、
前記第１判断ステップの条件を満たす場合には、前記質問者の現在間に、前記回答者の基準間に対する前記回答者の現在間の比又は前記回答者の現在発言速度に対する前記回答者の基準発言速度の比を乗じた変更後間を算出するステップと、
を含む付記１記載のインタビュー支援方法。
【０１０３】
（付記３）
前記取得ステップにおいて、
前記質問者の現在発言速度をさらに取得し、
前記変更ステップが、
前記回答者の現在間が前記回答者の基準間より短い場合又は前記回答者の現在発言速度が前記回答者の基準発言速度より速い場合、前記回答者の現在間が前記質問者の現在間より長く且つ前記回答者の現在発言速度が前記質問者の現在発言速度より遅いか判断する第２判断ステップと、
前記第２判断ステップの条件を満たす場合には、前記質問者の現在間に、前記回答者の現在間に対する前記回答者の基準間の比又は前記回答者の基準発言速度に対する前記回答者の現在発言速度の比を乗じた変更後間を算出するステップと、
を含む付記２記載のインタビュー支援方法。
【０１０４】
（付記４）
前記変更ステップが、
前記第２判断ステップの条件を満たさない場合には、前記回答者の現在発言速度が前記回答者の基準発言速度より速い又は前記回答者の現在間が前記回答者の基準間より短く、且つ前記回答者の現在間が前記質問者の現在間より短く且つ前記回答者の現在発言速度が前記質問者の現在発言速度より速いか判断する第３判断ステップと、
前記第３判断ステップの条件を満たす場合には、前記質問者の現在間に、前記回答者の基準間に対する前記回答者の現在間の比又は前記回答者の現在発言速度に対する前記回答者の基準発言速度の比を乗じた変更後間を算出するステップと、
をさらに含む付記３記載のインタビュー支援方法。
【０１０５】
（付記５）
第１のインタビュー中の所定時間内における、質問者の発言終了から回答者の発言開始までの時間である前記回答者の現在間又は前記回答者の現在発言速度と、前記回答者の発言終了から前記質問者の発言終了までの時間である前記質問者の現在間とを取得する取得ステップと、
前記第１のインタビュー中に前記質問者の発言終了を検出した後に、前記第１のインタビューより前の第２のインタビューにおいて収集された、前記質問者の発言終了から前記回答者の発言開始までの基準時間である前記回答者の基準間又は前記回答者の基準発言速度とを格納する基準データ格納部から前記回答者の基準間又は前記回答者の基準発言速度とを読み出し、前記回答者の現在間と前記回答者の基準間とを比較するか又は前記回答者の現在発言速度と前記回答者の基準発言速度とを比較するステップと、
前記回答者の現在間と前記回答者の基準間とが一致しないという条件を含む第１の所定の条件を満たす又は前記回答者の現在発言速度と前記回答者の基準発言速度とが一致しないという条件を含む第２の所定の条件を満たす場合に、前記質問者の現在間を、前記回答者の現在間と前記回答者の基準間との関係又は前記回答者の現在発言速度と前記回答者の基準発言速度との関係に従って変更する変更ステップと、
前記第１のインタビュー中に前記回答者の発言終了を検出した場合、変更後の前記質問者の現在間を、前記質問者に提示するステップと、
をコンピュータに実行させるためのインタビュー支援プログラム。
【０１０６】
（付記６）
前記取得ステップにおいて、
前記回答者の現在間と前記回答者の現在発言速度との両方を取得すると共に、前記第１のインタビュー中の所定時間内における、前記質問者の総質問時間及び前記回答者の総回答時間をさらに取得し、
前記基準データ格納部に、前記回答者の基準間と前記回答者の基準発言速度との両方が格納されており、
前記変更ステップが、
前記回答者の現在間が前記回答者の基準間より長い場合又は前記回答者の現在発言速度が前記回答者の基準発言速度より遅い場合、前記質問者の総質問時間が前記回答者の総回答時間より長く、且つ前記回答者の現在発言速度が前記回答者の基準発言速度より遅い又は前記回答者の現在間が前記回答者の基準間より長いか判断する第１判断ステップと、
前記第１判断ステップの条件を満たす場合には、前記質問者の現在間に、前記回答者の基準間に対する前記回答者の現在間の比又は前記回答者の現在発言速度に対する前記回答者の基準発言速度の比を乗じた変更後間を算出するステップと、
を含む付記５記載のインタビュー支援プログラム。
【０１０７】
（付記７）
前記取得ステップにおいて、
前記質問者の現在発言速度をさらに取得し、
前記変更ステップが、
前記回答者の現在間が前記回答者の基準間より短い場合又は前記回答者の現在発言速度が前記回答者の基準発言速度より速い場合、前記回答者の現在間が前記質問者の現在間より長く且つ前記回答者の現在発言速度が前記質問者の現在発言速度より遅いか判断する第２判断ステップと、
前記第２判断ステップの条件を満たす場合には、前記質問者の現在間に、前記回答者の現在間に対する前記回答者の基準間の比又は前記回答者の基準発言速度に対する前記回答者の現在発言速度の比を乗じた変更後間を算出するステップと、
を含む付記６記載のインタビュー支援プログラム。
【０１０８】
（付記８）
前記変更ステップが、
前記第２判断ステップの条件を満たさない場合には、前記回答者の現在発言速度が前記回答者の基準発言速度より速い又は前記回答者の現在間が前記回答者の基準間より短く、且つ前記回答者の現在間が前記質問者の現在間より短く且つ前記回答者の現在発言速度が前記質問者の現在発言速度より速いか判断する第３判断ステップと、
前記第３判断ステップの条件を満たす場合には、前記質問者の現在間に、前記回答者の基準間に対する前記回答者の現在間の比又は前記回答者の現在発言速度に対する前記回答者の基準発言速度の比を乗じた変更後間を算出するステップと、
をさらに含む付記７記載のインタビュー支援プログラム。
【０１０９】
（付記９）
第１のインタビュー中の所定時間内における、質問者の発言終了から回答者の発言開始までの時間である前記回答者の現在間又は前記回答者の現在発言速度と、前記回答者の発言終了から前記質問者の発言終了までの時間である前記質問者の現在間とを取得する取得手段と、
前記第１のインタビュー中に前記質問者の発言終了を検出した後に、前記第１のインタビューより前の第２のインタビューにおいて収集された、前記質問者の発言終了から前記回答者の発言開始までの基準時間である前記回答者の基準間又は前記回答者の基準発言速度とを格納する基準データ格納部と、
前記基準データ格納部から前記回答者の基準間又は前記回答者の基準発言速度とを読み出し、前記回答者の現在間と前記回答者の基準間とを比較するか又は前記回答者の現在発言速度と前記回答者の基準発言速度とを比較する手段と、
前記回答者の現在間と前記回答者の基準間とが一致しないという条件を含む第１の所定の条件を満たす又は前記回答者の現在発言速度と前記回答者の基準発言速度とが一致しないという条件を含む第２の所定の条件を満たす場合に、前記質問者の現在間を、前記回答者の現在間と前記回答者の基準間との関係又は前記回答者の現在発言速度と前記回答者の基準発言速度との関係に従って変更する変更手段と、
前記第１のインタビュー中に前記回答者の発言終了を検出した場合、変更後の前記質問者の現在間を、前記質問者に提示する手段と、
を有するインタビュー支援装置。
【符号の説明】
【０１１０】
１，３  マイク    ５  インタビュー支援装置
５１  音声関連データ処理部    ５３  ログデータ格納部
５５  制御部    ５７  パラメータ格納部
５８  表示装置
５５１  基礎データ処理部    ５５２  パラメータ算出部
５５３  最適間算出部    ５５４  入出力部
【図１】
2010175778.tif 000003
【図２】
2010175778.tif 000004
【図３】
2010175778.tif 000005
【図４】
2010175778.tif 000006
【図５】
2010175778.tif 000007
【図６】
2010175778.tif 000008
【図７】
2010175778.tif 000009
【図８】
2010175778.tif 000010
【図９】
2010175778.tif 000011
【図１０】
2010175778.tif 000012
【図１１】
2010175778.tif 000013
【図１２】
2010175778.tif 000014
【図１３】
2010175778.tif 000015
【図１４】
2010175778.tif 000016
【図１５】
2010175778.tif 000017
【図１６】
2010175778.tif 000018
【図１７Ａ】
2010175778.tif 000019
【図１７Ｂ】
2010175778.tif 000020
【図１８】
2010175778.tif 000021
【図１９】
2010175778.tif 000022
【図２０】
2010175778.tif 000023
【図２１】
2010175778.tif 000024